(57)【要約】  【課題】ビル火災や地震などの際に、ビルなどの外壁を伝って降下し避難する際に使用する降下式の避難器具に関し、緊急避難のための動作が円滑かつ確実に行われ、しかもロープがより短く、より小型の避難器具を実現する。  【解決手段】ロープを巻き付ける回転式のスプール１と、該スプール１から繰り出されたロープを巻き付ける固定構造のスリップ芯３とを有し、該スリップ芯３から引き出されたロープの先端を建築物の一部や備品などに連結し、前記のスプール１やスリップ芯３を支持している本体ｆに人体を吊るす構造となっている。前記のスプール１の回転に対し制動力を与える制動手段を備えており、また、スプール１から繰り出されたロープが前記のスリップ芯３に到達する間にも、ロープの走行に制動力を与える制動手段を備えている。前記のスリップ芯３に対しロープが整然と巻かれた状態を維持できるように、螺旋状の深溝１９など、ロープのもつれ防止手段を備えている。【選択図】          図１
2004275761.tif 000002
【特許請求の範囲】
【請求項１】
ロープを巻き付ける回転式のスプールと、該スプールから繰り出されたロープを巻き付ける固定構造のスリップ芯とを有し、該スリップ芯から引き出されたロープの先端を建築物の一部や備品などに連結し、前記のスプールやスリップ芯を支持している本体に人体を吊るす構造となっていることを特徴とする降下避難器具。
【請求項２】
前記のスプールの回転に対し制動力を与える制動手段を備えていることを特徴とする請求項１に記載の降下避難器具。
【請求項３】
前記のスリップ芯を複数有しており、前記スプールから繰り出されたロープが複数のスリップ芯を経由する構造となっていることを特徴とする請求項１または請求項２に記載の降下避難器具。
【請求項４】
前記スプールから繰り出されたロープが前記のスリップ芯に到達する間に、ロープの走行に制動力を与える制動手段を備えていることを特徴とする請求項１、請求項２または請求項３に記載の降下避難器具。
【請求項５】
前記本体の外部に延びた、前記スプールの回転軸に操作ハンドルが取付けてあることを特徴とする請求項１、請求項２、請求項３または請求項４に記載の降下避難器具。
【請求項６】
前記のスリップ芯に対しロープが整然と巻かれた状態を維持できるようにロープのもつれ防止手段を備えていることを特徴とする請求項１から請求項５までのいずれかの項に記載の降下避難器具。
【請求項７】
前記のスリップ芯から引き出されるロープの引き出し口を、装置本体に備えていることを特徴とする請求項１から請求項６までのいずれかの項に記載の降下避難器具。
【請求項８】
前記の装置本体に、人体の支持手段の吊り下げ部とつかみ棒を備えていることを特徴とする請求項１から請求項７までのいずれかの項に記載の降下避難器具。
【請求項９】
ロープを巻き付ける回転式のスプールと、該スプールから繰り出されたロープを巻き付ける固定構造のスリップ芯とを有し、該スリップ芯から引き出されたロープの先端を建築物などに連結し、前記のスプールやスリップ芯を支持している本体に人体を吊るす構造となっている降下避難器具を用いる際に、前記本体に吊るして避難する人数が増えるほど、前記スリップ芯に巻き付けるロープの巻き数を増やして、スリップ芯に対するロープの摺動抵抗を増加させることを特徴とする降下避難器具の避難人数対処方法。
【発明の詳細な説明】
【技術分野】
【０００１】
本発明は、ビル火災や地震などの際に、ビルなどの外壁を伝って降下し避難する際に使用する降下式の避難器具に関する。
【背景技術】
【０００２】
実開昭６１−１３９２４４号公報に記載のように、ビルなどに滑車を吊るし、該滑車に掛けたロープの一端を装置本体に固定し、他方を装置本体に支持した動滑車と摺動抵抗体に交互に通過させておき、装置本体に吊るした避難者の重力で装置本体が徐々に降下するようにした緊急避難装置が提案されている。
【０００３】
【特許文献１】実開昭６１−１３９２４４
【発明の開示】
【発明が解決しようとする課題】
【０００４】
ところが、このようにロープを摺動抵抗体や動滑車にジグザグ状に交互に通す構造では、ロープが何度も逆向きに鋭角に折れ曲がるため、ロープが損傷したり、摺動抵抗が大き過ぎて、避難者の下降が円滑に行なえない危険がある。また、滑車を使用するため、避難高さの２倍の長さの長いロープを必要とし、そのため装置も大型かつ大がかりとなること、滑車に対し片方のロープは下降し、他方のロープは上昇する必要があるため、途中でロープが引っ掛かったりして、ロープの円滑な下降・上昇が妨げられると、緊急避難が不可能となるといった致命的な欠陥がある。
【０００５】
本発明の技術的課題は、従来のロープを用いた緊急避難装置におけるこのような問題に着目し、緊急避難のための動作が円滑かつ確実に行われ、しかもロープがより短く、より小型の降下式の避難器具を実現することにある。
【課題を解決するための手段】
【０００６】
本発明の技術的課題は次のような手段によって解決される。請求項１は、ロープを巻き付ける回転式のスプールと、該スプールから繰り出されたロープを巻き付ける固定構造のスリップ芯とを有し、該スリップ芯から引き出されたロープの先端を建築物の一部や備品などに連結し、前記のスプールやスリップ芯を支持している本体に人体を吊るす構造となっている降下避難器具である。
【０００７】
このように、ロープを巻き付ける回転式のスプールと、該スプールから繰り出されたロープを巻き付ける固定構造のスリップ芯とを有し、該スリップ芯から引き出されたロープの先端を建築物の一部やベッドのような備品などに連結し、前記のスプールやスリップ芯を支持している本体に人体を吊るす構造になっているため、装置本体に避難者の荷重が作用しても、スリップ芯に巻かれたロープは、スリップ芯との摺動抵抗により、徐々にしか引き出されず、その結果、避難者は安全に下降し避難できる。そして、スリップ芯へのロープの巻き数やスリップ芯の材質、断面形状、太さなどによって、摺動抵抗を変えられるため、避難者の体重や人数など、降下避難器具に作用する荷重の大きさに応じて、摺動抵抗を変え、体重や人数などの如何に関係無く、常に安全かつ円滑に降下避難できる。
【０００８】
避難下降に際して、スプールに巻かれたロープを繰り出すだけであるから、滑車式に比べて、ロープの長さは半分で足り、それだけ装置を小型化できる。滑車式の場合は、滑車の両側のロープが走行する必要があるが、本発明の場合は、スリップ芯から引き出されたロープは走行する必要が無いので、途中でロープが引っ掛かったりしても、避難者の下降避難に何ら支障は生じない。したがって、緊急避難が不可能になるといった致命的な欠陥が発生する恐れは少ない。
【０００９】
請求項２は、請求項１に記載のスプールの回転に対し制動力を与える制動手段を備えている降下避難器具である。この制動手段のタイプや構造は特に問わない。このように、ロープを巻き付ける回転式のスプールの回転に対し制動力を与える制動手段を備えているため、スリップ芯をロープが通過する際の摺動抵抗に加えて、ロープが巻かれたスプールに対しても制動力が作用することによって、スリップ芯に導入される前のロープに制動力が加わっているため、スリップ芯からロープがより安定良く引き出されると共に、摺動抵抗がより安定かつ確実に作用し、避難者の下降避難が確実に行われる。
【００１０】
請求項３は、前記のスリップ芯を複数有しており、前記スプールから繰り出されたロープが複数のスリップ芯を経由する構造となっていることを特徴とする請求項１または請求項２に記載の降下避難器具である。このように、ロープを巻き付けるスリップ芯を複数設けて、スプールから繰り出されたロープが複数のスリップ芯を経由して引き出される構造となっているので、１本のスリップ芯に対する巻き数を減らすことができ、簡単な構造でスプールに対する制動を加えることができる。
【００１１】
請求項４は、請求項１、請求項２または請求項３に記載のスプールから繰り出されたロープが前記のスリップ芯に到達する間に、ロープの走行に制動力を与える制動手段を備えている降下避難器具である。このように、スプールから繰り出されたロープが前記のスリップ芯に到達する間に、ロープの走行に制動力を与える制動手段を備えていて、スリップ芯に導入されるロープに制動力が加わるため、スリップ芯からロープがより安定良く引き出されると共に、摺動抵抗がより確実に作用し、避難者の下降避難がより確実に行われる。
【００１２】
請求項５は、前記本体の外部に延びた、前記スプールの回転軸に操作ハンドルが取付けてあることを特徴とする請求項１、請求項２、請求項３または請求項４に記載の降下避難器具である。このように、前記スプールの回転軸を本体の外部に延ばして、操作ハンドルを取付けた構造になっているので、降下避難者自身が直接にスプールの回転を操作することができる。その結果、ロープが巻かれたスプールの回転をより確実にかつ自由自在にコントロールして、降下速度などを意のままに制御でき、緊急時に気があせっていても確実に取り扱える。
【００１３】
請求項６は、請求項１、請求項２、請求項３または請求項４に記載のスリップ芯に対しロープが整然と巻かれた状態を維持できるようにロープのもつれ防止手段を備えている降下避難器具である。このように、スリップ芯に対しロープが整然と巻かれた状態を維持できるように、スリップ芯に螺旋溝を設けたり、櫛歯状の規制手段を設けるなど、ロープのもつれ防止手段を備えているため、スリップ芯においてロープがもつれたりして、スリップ芯からロープが確実かつ円滑に引き出されることを阻害する恐れはなく、避難者の緊急避難が確実となる。
【００１４】
請求項７は、請求項１から請求項６までのいずれかの項に記載のスリップ芯から引き出されるロープの引き出し口を、装置本体に備えている降下避難器具である。このように、スリップ芯から引き出されるロープの引き出し口を、装置本体に備えているため、ロープがからんだりする恐れがなく、スリップ芯からのロープの引き出しが円滑かつ確実となり、避難者の避難降下が確実に行われる。
【００１５】
請求項８は、請求項１から請求項７までのいずれかの項に記載の装置本体に、人体の支持手段の吊り下げ部とつかみ棒を備えている降下避難器具である。このように、前記の降下避難器具の本体に、人体の支持手段の吊り下げ部を有しているので、避難者を支持手段を介して装置本体に確実に吊り下げて支持でき、避難者を安全かつ確実に避難させることができる。また、装置本体につかみ棒を備えているので、避難者はこのつかみ棒を握った状態で下降避難でき、人体の安定性が良く、しかも装置の制動手段などの操作も容易に行なえる。
【００１６】
請求項９は、ロープを巻き付ける回転式のスプールと、該スプールから繰り出されたロープを巻き付ける固定構造のスリップ芯とを有し、該スリップ芯から引き出されたロープの先端を建築物などに連結し、前記のスプールやスリップ芯を支持している本体に人体を吊るす構造となっている降下避難器具を用いる際に、前記本体に吊るして避難する人数が増えるほど、前記スリップ芯に巻き付けるロープの巻き数を増やして、スリップ芯に対するロープの摺動抵抗を増加させることを特徴とする降下避難器具の避難人数対処方法である。
【００１７】
このように、降下避難器具の本体に吊るして避難する人数が増えるほど、前記スリップ芯に巻き付けるロープの巻き数を増やして、スリップ芯に対するロープの摺動抵抗を増加させる方法を採っているため、ロープが摺動抵抗体や動滑車をジグザグ状に交互に通過する構造と違って、ロープが、摺動抵抗体となるスリップ芯を安定良く通過できるので、ロープが損傷したり、摺動抵抗が不安定となったり大き過ぎたりして、避難者の円滑な下降が不可能となるような危険は少ない。
【発明の効果】
【００１８】
請求項１のように、ロープを巻き付ける回転式のスプールと、該スプールから繰り出されたロープを巻き付ける固定構造のスリップ芯とを有し、該スリップ芯から引き出されたロープの先端を建築物の一部や備品などに連結し、前記のスプールやスリップ芯を支持している本体に人体を吊るす構造になっているため、装置本体に避難者の荷重が作用しても、スリップ芯に巻かれたロープは、摺動抵抗により、徐々にしか引き出されず、その結果、避難者は安全に下降し避難できる。そして、スリップ芯へのロープの巻き数やスリップ芯の材質、断面形状、太さなどによって、摺動抵抗を変えられるため、避難者の体重や人数など、降下避難器具に作用する荷重の大きさに応じて、摺動抵抗を変え、体重や人数などの如何に関係無く、常に安全かつ円滑に降下避難できる。
【００１９】
避難下降に際して、スプールに巻かれたロープを繰り出すだけであるから、滑車式に比べて、ロープの長さは半分で足り、それだけ装置を小型化できる。滑車式の場合は、滑車の両側のロープが走行する必要があるが、本発明の場合は、スリップ芯から引き出されたロープは走行する必要が無いので、途中でロープが引っ掛かったりしても、避難者の下降避難に何ら支障は生じない。したがって、緊急避難が不可能となるといった致命的な欠陥が発生する恐れは少ない。
【００２０】
請求項２のように、ロープを巻き付ける回転式のスプールの回転に対し制動力を与える制動手段を備えているため、スリップ芯をロープが通過する際の摺動抵抗に加えて、ロープが巻かれたスプールに対しても制動力が作用することによって、スリップ芯に導入されるロープに制動力が加わるため、スリップ芯からロープがより安定良く引き出されると共に、摺動抵抗がより確実に作用し、避難者の下降避難が確実に行なえる。
【００２１】
請求項３のように、ロープを巻き付けるスリップ芯を複数設けて、スプールから繰り出されたロープが複数のスリップ芯を経由して引き出される構造となっているので、１本のスリップ芯に対する巻き数を減らすことができる。その結果、簡単な構造で、スプールに対する制動を加えることができると共にロープが絡むのを抑制できる。
【００２２】
請求項４のように、スプールから繰り出されたロープが前記のスリップ芯に到達する間に、ロープの走行に制動力を与える制動手段を備えていて、スリップ芯に導入されるロープに制動力が加わるため、スリップ芯からロープがより安定良く引き出されると共に、摺動抵抗がより確実に作用し、避難者の下降避難がより確実に行われる。
【００２３】
請求項５のように、前記スプールの回転軸を本体の外部に延ばして、操作ハンドルを取付けた構造になっているので、降下避難者自身が直接にスプールの回転を操作することができる。その結果、ロープが巻かれたスプールの回転をより確実にかつ自由自在にコントロールして、降下速度などを意のままに制御でき、緊急時に気があせっていても確実に取り扱える。
【００２４】
請求項６のように、スリップ芯に対しロープが整然と巻かれた状態を維持できるように、スリップ芯に螺旋溝を設けたり、櫛歯状の規制手段を設けるなど、ロープのもつれ防止手段を備えているため、スリップ芯においてロープがもつれたりして、スリップ芯からロープが確実かつ円滑に引き出されることを阻害する恐れはなく、避難者の緊急避難が確実となる。
【００２５】
請求項７のように、スリップ芯から引き出されるロープの引き出し口を、装置本体に備えているため、ロープがからんだりする恐れがなく、スリップ芯からのロープの引き出しが円滑かつ確実となり、避難者の避難降下が確実に行なえる。
【００２６】
請求項８のように、前記の降下避難器具の本体に、人体の支持手段の吊り下げ部を有しているので、避難者を支持手段を介して装置本体に確実に吊り下げて支持でき、避難者を安全かつ確実に避難させることができる。また、装置本体につかみ棒を備えているので、避難者はこのつかみ棒を握った状態で下降避難でき、人体の安定性が良く、しかも装置の制動手段などの操作も容易に行なえる。
【００２７】
請求項９のように、降下避難器具の本体に吊るして避難する人数が増えるほど、前記スリップ芯に巻き付けるロープの巻き数を増やして、スリップ芯に対するロープの摺動抵抗を増加させる方法を採っているため、ロープが摺動抵抗体や動滑車をジグザグ状に交互に通過する構造と違って、ロープが、摺動抵抗体となるスリップ芯を安定良く通過できるので、ロープが損傷したり、摺動抵抗が不安定となったり大き過ぎたりして、避難者の円滑な下降が不可能となるような危険は少ない。
【発明を実施するための最良の形態】
【００２８】
次に本発明による降下避難器具が実際上どのように具体化されるか実施形態を説明する。図１は本発明による降下避難器具の基本構成を示す断面図であり、図５は外観を示す右側面図である。
【００２９】
スプール１にはロープ２を端部を固定してから巻いてあり、スプール１と平行にスリップ芯３を配置してある。スプール１から繰り出したロープ２ａは、スリップ芯３に２ｂのように螺旋状に巻かれており、引き出し口４から引き出されたロープ２ｃの先端にフックＨが取付けてある。スプール１は、装置本体ｆ中に回転可能に収納されており、スリップ芯３は、装置本体ｆに固定または一体構成となっている。図示例では、スプール１の両側のフランジ１ｆ、１ｆに対向して、制動用のディスク５・５を配置してあり、このディスク５・５の外周の一部に、装置本体ｆの一部ｆ１が嵌合することによって、ディスク５が回転不能になっている。
【００３０】
装置本体ｆには、スプール１の両側中心に対応してメネジ孔を開けて、その中に、ボルト状のネジ棒６を螺入させてある。したがって、ネジ棒６の外端に固定した操作ハンドル７を回転操作して、ネジ棒６を締めつけると、ネジ棒６でディスク５が前記フランジ１ｆに押し着けられるため、スプール１に制動力が作用し、円滑な回転が抑制される。なお、スプール１は、装置本体ｆに形成された円筒状の室に挿入するだけでもよいが、図示のように、ディスク５・５の中心から突出した軸５ａに中心を支持してもよい。装置本体ｆには、避難者を吊るすための吊り金具８を設けてあり、また避難者が掴むためのつかみ棒９を設けてある。
【００３１】
ビルなどで火災が発生した場合は、この装置のロープ２ｃの先端のフックＨを建築物などの避難脱出場所の付近に引っ掛けたりして連結する。そして、装置本体ｆの吊り金具８を利用して、避難者の人体を吊り下げると、避難者の体重のために、スプール１に巻かれたロープ２が徐々に引き出される。そして、引き出されたロープ２ａは、スリップ芯３を経由して、引き出し口４から引き出されるため、避難者と共に装置本体ｆが下降することになる。
【００３２】
このとき、スリップ芯３に螺旋状に巻かれたロープ２ｂがスリップ芯３に巻かれた状態で走行する際に、スリップ芯３との間で発生する摩擦のために、摺動抵抗が作用する。したがって、避難者の体重が作用しているにも係わらず、スプール１から引き出されたロープ２ａは徐々に装置本体の引き出し口４から引き出されることになり、その結果、避難者は徐々に下降して避難できる。スリップ芯３と螺旋状に巻かれたロープ２ｂとの摺動抵抗は、スリップ芯３へのロープ２ｂの巻き数やスリップ芯３の材質、断面形状、太さなどによって異なるため、日本人の平均的な体重に合わせて、スリップ芯３への巻き数やネジ棒６の締めつけ具合を設定しておく。
【００３３】
そして、避難者が装置本体ｆを利用して下降する際に、装置本体ｆの下降速度が速すぎる場合は、操作ハンドル７を回転操作して、制動用ディスク５とフランジ１ｆとの押圧力を強めて、制動力を高める。逆に、下降速度が遅すぎる場合は、ネジ棒６をゆるめて制動力を弱めることで、円滑に下降避難できる。なお、制動用ディスク５とネジ棒６との間に弾性体を介在させると、押圧力の設定が容易になる。
【００３４】
この装置が一人用の場合に比べて、二人用の場合や三人用の場合は、スリップ芯３へのロープ２ｂの巻き数を増やして、摺動抵抗を増大させることによって、装置本体ｆにかかる荷重の大きさに容易に対応できる。スプール１から繰り出されたロープ２ａ自体に対しても、制動力を加えることによって、瞬時に迅速に下降速度を変えることもできる。この制動手段は、装置本体ｆの内面に、ロープ２ａが入る凹部１０を形成してあり、ロープ２ａを通したリング１１に連結した操作棒１２を装置本体ｆの外側に引き出し、操作取っ手１３を設けてある。
【００３５】
したがって、下降速度が速すぎたり、緊急停止させたりする場合には、取っ手１３を引っ張って、リング１１でロープ２ａを凹部１０中に引き込めば、この凹部１０中をロープ２ａが走行する際の摺動抵抗が増して、ロープ走行速度が制限されるので、スリップ芯３に進入するロープ２ａがスプール１側に引っ張られることになり、結果的に、ロープ２ｂがスリップ芯３上を走行する速度が遅くなり、下降速度を遅らせたり、止めたりできる。スリップ芯３に巻かれたロープ２ｂがもつれたりすると、ロープ２ｂがスリップ芯３に対し円滑に走行できなくなり、下降避難が不可能となるから、絶対に起きてはならない。ロープ２ｂがもつれたりするのを回避するには、スリップ芯３の外周にパイプを螺旋状に巻き付けた状態に固定しておき、このパイプの中にロープ２ｂを通す構造が好ましい。
【００３６】
しかしながら、図示のように、スリップ芯３の上側に、カバーフレームｆ２を装置本体ｆと一体形成しておき、このカバーフレームｆ２とスリップ芯３との間に櫛歯状に規制部材１４…を固定しておき、これらの規制部材１４…の間をロープ２ｂが走行する構造にすれば、もつれを防止できる。あるいは、スリップ芯３の外周にロープ２ｂが入る凹溝を螺旋状に掘った形状にしてもよい。その結果、スリップ芯３に対しロープ２ｂが整然と巻かれた状態を維持でき、ロープのもつれを確実に防止して、安全かつ確実に下降し、避難の目的を達成できる。また、図２の場合は、スリップ芯３の外周に螺旋状の深溝１９を形成してあり、その中にロープ２ｂの全体を入れた状態で、装置本体ｆにセットし固定するので、ロープ２ｂは螺旋溝１９から離脱することはなく、安定良く走行できる。
【００３７】
図３は、避難時に避難者が着用するボディーハンガーであり、両足を挿入して身体を安定よく支持するトランクス部１５と脇下ベルト１６との間を数本の吊りベルト１７で連結した構造になっている。この脇下ベルト１６を数本の吊りベルト１８ａ、１８ｂで吊り、この吊りベルト１８ａ、１８ｂの上端に取付けたフックｈ１、ｈ２を前記装置本体ｆの下端の吊り金具８、８に引っ掛ける。したがって、緊急避難に際しては、図２のボディーハンガーを着用した状態でフックｈ１、ｈ２を装置本体ｆの下端の吊り金具８、８に引っ掛けると共に、ロープ２ｃ先端のフックＨをビルなどの建築物の強固な部分、或いは室内の備品であるベッドの足やフレーム等に引っ掛けてから、ビルなどの外壁の外に脱出し、外壁面に沿って下降する。
【００３８】
このとき、前記のように、装置本体ｆのつかみ棒９を握って身体を安定にした状態で、操作ハンドル７を回転操作して、ネジ棒６を締めつけたり緩めたりして、ディスク５とスプールフランジ１ｆ間の押圧力をコントロールし、制動力を調節したり、取っ手１３を引っ張って、リング１１とロープ２ａ、凹部１０による制動力を調節して、速度制御したり、停止したりする。
【００３９】
二人以上で共用する可能性のある装置の場合は、装置本体ｆの下端の吊り金具８、８のサイズを大きくして、ボディーハンガーのフックｈ１、ｈ２を多数引っ掛けられるようにしておけば、二人以上のボディーハンガーのフックｈ１、ｈ２を引っ掛けて、二人以上が同時に避難できる。なお、二人以上で共用する場合は、ボディーハンガーの吊りベルト１８ａ、１８ｂの上端を一まとめにして、フックを１個だけにしておけば、１個だけのフックを片方の吊り金具８に引っ掛けることもできる。
【００４０】
一人用の装置で二人以上が避難しようとすると、荷重が大きすぎるために、下降速度が速すぎて、危険である。前記のように、二人以上で共用する装置の場合は、操作ハンドル７や取っ手１３を操作して制動を加えることで、ある程度は対応できるが、スリップ芯３へのロープ２ｂの巻き数によって、人数に対応するのが安全で使いやすい。すなわち、スリップ芯３へのロープ２ｂの巻き数を、一人用の場合より多めにする。このとき、共用する人数が多いほど、巻き数を増やすことは言うまでもない。したがって、スリップ芯３は着脱式とし、人数に応じた所定数分巻いた状態でセットし固定する構造が望ましい。
【００４１】
図４では、スリップ芯３の両端に四角柱状の固定部２２を有しているので、この固定部２２を、装置本体ｆに形成した四角凹部に嵌め込んで、ネジやボルトナットなどで固定すれば、スリップ芯３の着脱や交換は容易である。
【００４２】
図１のスリップ芯３は、その全長にロープ２ｂを巻いてあるため、繰り出しロープ２ａが、鎖線で示すように、スプール１の左端位置から繰り出される場合には、ロープ２ａが円滑に走行できなくなる恐れがある。これに対し、図４は、スプール１とスリップ芯３との間にロープガイドブリッジ部ｆ３を設けて、スプール１の全幅の中間の位置に、ロープガイド孔２１を開けてある。したがって、このロープガイド孔２１から導出されたロープは、スリップ芯３の左側半分だけにしか巻かれないことになるが、図２の螺旋溝１９を密に形成して、ロープ２ｂを密に巻けば、特に問題はない。なお、ロープガイドｇ１〜ｇ４を経由して、鎖線で示すようにロープ経路を迂回させれば、スリップ芯３の全長に巻くことも可能である。
【００４３】
スリップ芯３に、図２のような、ロープ２ｂを入れる螺旋溝１９を形成しない場合は、図４のように、ロープガイドブリッジ部ｆ３とスリップ芯３の外周面との間の隙間Ｇを、ロープ２ｂの太さより狭くすれば、ロープのもつれ防止は可能である。このように隙間Ｇを狭くしたり、変化させたい場合は、ロープガイドブリッジ部ｆ３に別体の隙間設定板をネジなどで取付け、この隙間設定板をスリップ芯３に接近させたり、遠ざけたりすることで隙間Ｇを変えてもよい。
【００４４】
図６以下は、図１〜図５の実施形態の改良構造であり、図６においては、スリップ芯を３ａ、３ｂのように２本装備しているが、３本以上用いてもよい。（１）は複数のスリップ芯を有する実施形態の正面図、（２）はロープの経路を示す右側面図であり、スプール１の上側から繰り出されたロープ２ａは、最初のスリップ芯３ａに下側から左巻きに巻かれてから、下側から次のスリップ芯３ｂの上側に導かれて、右巻きに巻かれてから、上側から引き出し口４に導かれる。このように、ロープ２ａを、スプール１の上からスリップ芯３ａの下側に、スリップ芯３ａの下側から次のスリップ芯３ｂの上側へ、というように互い違いに巻き付けると、スリップ芯３ａ、３ｂに対するロープ２ａの摺動抵抗を増やすことができる。このように、スリップ芯を増やした場合は、図１〜図５のように１本のみの場合に比べて、スリップ芯１本当たりの巻き数を減らすことができる。その結果、ロープがもつれたり引っ掛かったりする障害が減少する。なお、それぞれのスリップ芯３ａ、３ｂにおける巻き数は任意であるが、摺動抵抗を増やしたい場合は、巻き数を増やすことになる。このスリップ芯３ａ、３ｂには、図２のような深溝１９を設けてもよいが、必ずしも必要ない。
【００４５】
スプール１の回転に対す制動力を加えるのに、図１では、フランジ１ｆの側面にディスク５を押しつける構造になっているのに対し、図７では、スプール１の両側に回転軸１ａ、１ｂを設けて、本体ｆの軸受け２３ａ、２３ｂ間に挿入し、その先の四角柱部１ａａ、１ｂｂを本体外に突出させてある。そして、この突出部１ａａ、１ｂｂに対し、ボルト２４でクランク状のハンドル２５を取付けてある。図８はハンドル２５の斜視図であり、ハンドル２５を取付けた四角筒部にスプール軸１ａａ、１ｂｂを挿通し、ボルト孔２４ｈにボルト２４を挿通して固定する。軸受けは、２３ａ、２３ｂのように２分割されていて、図６（１）の正面図における手前側の軸受け２３ｂは可動式になっていて、本体のメネジ孔に螺合している制動ボルト２６をハンドル２７で回転して締めつけることによって、スプール軸１ａ、１ｂに対し、制動力を加えることができる。なお、他方の軸受け２３ａは、本体ｆ側に固定されている。
【００４６】
したがって、この実施形態では、スプール軸１ａ、１ｂを軸受け２３ａ、２３ｂの間に締めつけることによって、スプール１に対し制動力を加えることができる。なお、本体ｆにおいて、フランジ１ｆの外周の外側にメネジ孔２８を開けて前記制動ボルト２６を螺合させ、フランジ１ｆの外周面を制動ボルト２６で押しつける構造も可能である。また、ボルト２６で１点を押しつける構造に代えて、自転車のバンドブレーキと同じ原理によって、外周を締めつける構造も可能である。
【００４７】
このようにして、スプール軸１ａ、１ｂやフランジ１ｆの外周面に制動力を加えることによって、図１のディスクタイプの制動に代えることができる。また、スプール軸１ａ、１ｂの突出部１ａａ、１ｂｂに直接にハンドルを取付けて、スプール１自体をハンドル操作できるため、非常時の降下速度を意のままに容易に操作でき、緊急時の気があせっているような場合でも確実に取り扱える。なお、このスプール操作ハンドルは、クランク状に限られず、ホイール状でも可能であり、形状のいかんを問わない。
【００４８】
なお、使用するロープの材質は、植物製や合成樹脂製、金属製など、自由である。また、避難時に本降下避難器具を共用する人数等に応じても、ロープ２の太さや材質を自由に選定できることは当然であり、ロープ２の太さや材質に応じて、ロープの経路やスリップ芯への巻き数も自由に選定できることは言うまでもない。ロープ２の強度を上げるには、内部にスチールワイヤーの芯を入れた構造でもよいし、全体がスチールワイヤー製でもよい。あるいはナイロンなどのような合成樹脂製のロープでもよい。したがって、本発明における「ロープ」は、ワイヤーや各種の紐なども含んだ総称である。
【図面の簡単な説明】
【００４９】
【図１】本発明による降下避難器具の基本構成を示す断面図である。
【図２】螺旋深溝付きのスリップ芯を示す側面図である。
【図３】避難者が着用するボディーハンガーを示す図である。
【図４】ロープルートの別の実施形態を示す装置正面図である。
【図５】本発明による降下避難器具の外観を示す側面図である。
【図６】複数のスリップ芯を有する実施形態であり、（１）は正面図、（２）はロープの経路を示す右側面図である。
【図７】（１）は図６のＡ−Ａ断面図、（２）はＢ−Ｂ断面図である。
【図８】スプールハンドルの斜視図である。
【符号の説明】
【００５０】
１  スプール
２・２ａ・２ｂ・２ｃ  ロープ
３・３ａ・３ｂ  スリップ芯
４  引き出し口
Ｈ  フック
ｆ  装置本体
ｆ１  勘合部
ｆ２  カバーフレーム
ｆ３  ロープガイドブリッジ部
５  ディスク
６  ネジ棒
７  操作ハンドル
８  吊り金具
９  つかみ棒
１０  凹部
１１  リング
１３  取っ手
１４  規制部材
１５  トランクス部
ｈ１・ｈ２  フック
１９  螺旋状の深溝
２１  ロープガイド孔
２２  取付け固定部
２３ａ、２３ｂ  軸受け
２５  スプールハンドル
２６  制動ボルト
２７  制動ハンドル
【図１】
2004275761.tif 000003
【図２】
2004275761.tif 000004
【図３】
2004275761.tif 000005
【図４】
2004275761.tif 000006
【図５】
2004275761.tif 000007
【図６】
2004275761.tif 000008
【図７】
2004275761.tif 000009
【図８】
2004275761.tif 000010